(57)【要約】【課題】注出容器の開栓時に内容液が自然吐出するのを防ぐこと。【解決手段】注出容器１０において、注液口１２Ａを開閉する注液開閉路２１Ａと通気口１２Ｂを開閉する通気開閉路２１Ｂを備えた開閉手段（ノズル１３）をキャップ１２に設け、開閉手段は、注液開閉路２１Ａにより注液口１２Ａを閉じ状態から開こうとする開き操作の途中で、通気開閉路２１Ｂにより通気口１２Ｂを閉じ状態から開くもの。【選択図】　図４
2004083018.tif 000002
【特許請求の範囲】
【請求項１】
注液口と通気口が設けられたキャップと、キャップが設けられる容器本体とを有してなる注出容器において、
注液口を開閉する注液開閉路と通気口を開閉する通気開閉路を備えた開閉手段をキャップに設け、
開閉手段は、注液開閉路により注液口を閉じ状態から開こうとする開き操作の途中で、通気開閉路により通気口を閉じ状態から開くことを特徴とする注出容器。
【請求項２】
前記開閉手段がキャップに回動自在に枢着されたノズルからなり、ノズルの中空通路を注液開閉路とし、ノズルの外壁に通気開閉路を備えた請求項１に記載の注出容器。
【請求項３】
前記開閉手段がキャップに直線動自在に嵌着されたノズルからなり、ノズルの中空通路を注液開閉路とし、ノズルの外壁に通気開閉路を備えた請求項１に記載の注出容器。
【発明の詳細な説明】
【０００１】
【発明の属する技術分野】
本発明は注出容器に関する。
【０００２】
【従来の技術】
注出容器が次亜塩素酸ナトリウム等を成分とするクリーナ剤等を収容し、保管中に発生した分解ガスが容器本体の内圧を上昇させるものにあっては、注出容器の容器本体又はキャップの開栓時に内容液が注液口から自然吐出する虞がある。
【０００３】
従来の注出容器として、実公平１−２８０３３号公報の図１７に記載の如く、キャップに注液口と通気口を設け、キャップの表面に沿って摺動自在に設けた栓体の中空通路を注液口に位置付ける開栓操作の途中で、該中空通路を通気口に一旦連通させて容器本体の内圧を通気口から放出するものがある。ところが、この注出容器では、栓体の中空通路に前回注液時の内容液が残留した場合、次の開栓操作で中空通路が通気口に連通したときに、容器本体の内圧により残留内容液が飛ばされる虞がある。
【０００４】
実公平１−２８０３３号公報の図１のものは、キャップに設けた注液口と通気口のそれぞれを開閉する注液開閉部と通気開閉部を備えた開閉部材をキャップの表面に沿って摺動自在に設けた。そして、開閉部材は、開栓操作により、注液開閉部で注液口を開くと同時に、通気開閉部で通気口を開き、容器本体の内圧を放出可能としている。
【０００５】
【発明が解決しようとする課題】
▲１▼しかしながら、実公平１−２８０３３号公報の図１のものは、開閉部材により注液口と通気口を同時に開くから、容器本体の内圧が通気口から放出されるだけでなく、この内圧が内容液を注液口から吐出させる虞がある。
【０００６】
本発明の課題は、容器の内容液の分解等により発生した分解ガスによる、又は、容器内の温度上昇による容器内の内圧上昇により、注出容器の開栓時に内容液が注液口から自然吐出するのを防ぐことにある。
【０００７】
【課題を解決するための手段】
請求項１の発明は、注液口と通気口が設けられたキャップと、キャップが設けられる容器本体とを有してなる注出容器において、注液口を開閉する注液開閉路と通気口を開閉する通気開閉路を備えた開閉手段をキャップに設け、開閉手段は、注液開閉路により注液口を閉じ状態から開こうとする開き操作の途中で、通気開閉路により通気口を閉じ状態から開くようにしたものである。
【０００８】
【発明の実施の形態】
（第１実施形態）
注出容器１０は、図１に示す如く、洗眼容器であり、可撓性容器本体１１、キャップ１２、開閉手段を構成するノズル１３、洗眼カップ１４を有する。注出容器１０は、図２に示す如く、ノズル１３をキャップ１２に対し回動させて立て、洗眼カップ１４のスリット１４Ａにノズル１３を嵌め込み、洗眼カップ１４を眼の周囲に当て、正立状態の容器本体１１をスクイズして洗浄液をディップチューブ１５経由でノズル１３から注出させて眼を洗う。ノズル１３は水平に対し角度ａ（０〜６０度）をなす斜め下方から洗浄液を注出し、洗浄済み廃液を洗眼カップ１４に受ける。
【０００９】
キャップ１２は容器本体１１に打ち込み（ねじ込みでも可）により固定され、容器本体１１の内部に連通する大径の注液口１２Ａと小径の通気口１２Ｂを並置している。注液口１２Ａにはディップチューブ１５が接続されている。
【００１０】
図３に示す如く、ノズル１３はノズル途中で折れ曲がるへの字状をなし、その下端部をピン１６によりキャップ１２に回動自在に枢着され、キャップ１２の天面に設けた凹部１７に納まる格納状態から、例えば９０度回動せしめられる使用状態へと回動可能にされる。ノズル１３は、下端外周面を円弧面又は球面の封止面１８とし、この封止面１８をキャップ１２の円弧面又は球面の回転面１９に密着状態で摺接される。キャップ１２の注液口１２Ａと通気口１２Ｂは回転面１９に開口する。
【００１１】
ノズル１３は、本発明の開閉手段を構成し、注液口１２Ａを外部空間に開閉する注液開閉路２１Ａと通気口１２Ｂを外部空間に開閉する通気開閉路２１Ｂを備える。注液開閉路２１Ａは、ノズル１３の封止面１８に開口する中空通路１３Ａにより形成され、通気開閉路２１Ｂは、ノズル１３の封止面１８の外壁に設けた溝１３Ｂにより形成される。
【００１２】
ノズル１３による注液口１２Ａ、通気口１２Ｂの開閉操作は以下の如くになる。
【００１３】
（Ａ）ノズル１３をキャップ１２の凹部１７に納めた格納状態では、図３に示す如く、キャップ１２の注液口１２Ａ、通気口１２Ｂはノズル１３の封止面１８により閉じられる。
【００１４】
（Ｂ）ノズル１３をキャップ１２の凹部１７から引き上げて例えば４５度回動させた中間回動状態では、図４に示す如く、キャップ１２の注液口１２Ａはノズル１３の封止面１８により閉じられた状態を維持するが、キャップ１２の通気口１２Ｂはノズル１３の通気開閉路２１Ｂ（溝１３Ｂ）により開かれて外気に連通する。従って、温度上昇等で上昇した容器本体１１の内圧が通気開閉路２１Ｂから放出される。
【００１５】
（Ｃ）ノズル１３を更に引き上げて例えば９０度回動させた最終回動状態では、図５に示す如く、キャップ１２の通気口１２Ｂはノズル１３の封止面１８により閉じられ、キャップ１２の注液口１２Ａはノズル１３の注液開閉路２１Ａ（中空通路１３Ａ）により開かれる。これにより、容器本体１１のスクイズにより、洗浄液をディップチューブ１５経由でノズル１３の注液開閉路２１Ａ（中空通路１３Ａ）から注出可能とする。
【００１６】
即ち、ノズル１３は、上述（ａ）〜（ｃ）において注液開閉路２１Ａにより注液口１２Ａを開こうとする開き操作の途中で、通気開閉路２１Ｂを構成する溝１３Ｂが通気口１２Ｂを通過する上述（ｂ）の中間回動状態で、当該通気開閉路２１Ｂにより通気口１２Ｂを閉じ状態から開き、容器本体１１の内圧を通気開閉路２１Ｂから放出可能とする。
【００１７】
本実施形態によれば以下の作用がある。
▲１▼ノズル１３の注液開閉路２１Ａが注液口１２Ａを開く動作の途中で、通気開閉路２１Ｂにより通気口１２Ｂを開く。注液口１２Ａが開かれるときには、容器本体１１の内圧を通気口１２Ｂから既に放出し終えており、内圧が内容液を注液口１２Ａから吐出させることがない。正立姿勢の容器本体１１をスクイズさせない場合は注液口１２Ａから自然に液が出ることがない。
【００１８】
▲２▼注液口１２Ａと通気口１２Ｂはそれらに連通するノズル１３の注液開閉路２１Ａと通気開閉路２１Ｂを別系統にしているから、上述▲１▼で通気口１２Ｂから放出される内圧が注液開閉路２１Ａ（ノズル１３の中空通路１３Ａ）の側の残留内容液を飛ばす虞もない。
【００１９】
（第２実施形態）
注出容器３０は、図６に示す如く、洗眼容器であり、可撓性容器本体３１、キャップ３２、開閉手段を構成するノズル３３、洗眼カップ３４を有する。注出容器３０は、図７に示す如く、ノズル３３をキャップ３２に対し直線動させて引出し、洗眼カップ３４のスリット３４Ａにノズル３３を嵌め込み、洗眼カップ３４を眼の周囲に当て、容器本体３１をスクイズして洗浄液をディップチューブ３５経由でノズル３３から注出させて眼を洗う。ノズル３３は水平に対し角度ａ（０〜６０度）をなす斜め下方から洗浄液を注出し、洗浄済み廃液を洗眼カップ３４に受ける。
【００２０】
キャップ３２は容器本体３１に打ち込み（ねじ込みでも可）により固定され、容器本体３１の内部に連通する１個（又は複数）の注液口３２Ａと１個（又は複数の）通気口３２Ｂとを並置している。注液口３２Ａにはディップチューブ３５が接続されている。
【００２１】
図８に示す如く、キャップ３２はノズル３３を直線動自在に嵌着可能とする凹部３６を有し、凹部３６の中心部にプラグ３７を突設し、凹部３６の内周面を嵌合面３８とし、凹部３６の底部にプラグ３７と嵌合面３８に挟まれる環状仕切壁３９を立設し、プラグ３７と仕切壁３９の間の底部に前述の注液口３２Ａを開口し、嵌合面３８と仕切壁３９の間の底部に前述の通気口３２Ｂを開口している。
【００２２】
ノズル３３はノズル途中で折れ曲がるへの字状をなし、その下端部に設けた環状溝４０をキャップ３２の凹部３６の環状仕切壁３９に直線動自在に嵌着している。ノズル３３は、本発明の開閉手段を構成し、注液口３２Ａを外部空間に開閉する注液開閉路４１Ａと、通気口３２Ｂを外部空間に開閉する通気開閉路４１Ｂを備える。注液開閉路４１Ａは、ノズル３３の中空通路３３Ａの入口部（注液口３２Ａ側）に設けられ、キャップ３２のプラグ３７に嵌合する小内径封止部４２により形成され、通気開閉路４１Ｂは、ノズル３３の外周壁に設けられ、キャップ３２の嵌合面３８の環状突部３８Ａに嵌合する大外径封止部４３により形成される。ノズル３３の直線動の押し込み端は、小内径封止部４２や大外径封止部４３が凹部３６の底部に衝合する位置で規制され、引出し端は大外径封止部４３の下端係止突起４３Ａが嵌合面３８の環状突部３８Ａに衝合する位置で規制される。下端係止突起４３Ａは複数個所に形成される場合は、大外径封止部４３に均等配置させることがノズル３３の直動操作や強度の点で好ましい。
【００２３】
ノズル３３による注液口３２Ａ、通気口３２Ｂの開閉操作は以下の如くになる。
【００２４】
（Ａ）ノズル３３をキャップ３２の凹部３６に納めた格納状態では、図８に示す如く、キャップ３２の注液口３２Ａ、通気口３２Ｂはノズル３３の注液開閉路４１Ａ（小内径封止部４２）、通気開閉路４１Ｂ（大外径封止部４３）により閉じられる。
【００２５】
（Ｂ）ノズル３３をキャップ３２の凹部３６から引き上げた中間引き上げ状態では、図９に示す如く、キャップ３２の注液口３２Ａはノズル３３の注液開閉路４１Ａ（小内径封止部４２）により閉じられた状態を維持するが、キャップ３２の通気口３２Ｂはノズル３３の通気開閉路４１Ｂ（通気開閉路４１Ｂの大外径封止部４３の凹路４３Ｂがキャップ３２における嵌合面３８の環状凸部３８Ａとの間に間隙通路を形成する）により開かれて外気に連通する。従って、温度上昇等で上昇した容器本体３１の内圧が通気開閉路４１Ｂから放出される。
【００２６】
（ｃ）ノズル３３を更に引き上げた最終引き上げ状態では、図１０に示す如く、キャップ３２の通気口３２Ｂはノズル３３の通気開閉路４１Ｂ（大外径封止部４３）により閉じられ、ノズル３２の注液口３２Ａはノズル３３の注液開閉路４１Ａ（中空通路３３Ａの小内径封止部４２）により開かれる。これにより、容器本体３１のスクイズにより、洗浄液をディップチューブ３５経由でノズル３３の注液開閉路４１Ａ（中空通路３３Ａ）から注出可能とする。
【００２７】
即ち、ノズル３３は、上述（ａ）〜（ｃ）において注液開閉路４１Ａにより注液口３２Ａを開こうとする開き操作の途中で、通気開閉路４１Ｂを構成する大外径封止部４３の凹路４３Ｂがキャップ３２における嵌合面３８の環状凸部３８Ａを通過する上述（ｂ）の中間引き上げ状態で、当該通気開閉路４１Ｂにより通気口３２Ｂを閉じ状態から開き、容器本体３１の内圧を通気開閉路４１Ｂから放出可能とする。
【００２８】
本実施形態によれば以下の作用がある。
▲１▼ノズル３３の注液開閉路４１Ａが注液口３２Ａを開く動作の途中で、通気開閉路４１Ｂにより通気口３２Ｂを開く。注液口３２Ａが開かれるときには、容器本体３１の内圧を通気口３２Ｂから既に放出し終えており、内圧が内容液を注液口３２Ａから吐出させることがない。正立姿勢の容器本体１１をスクイズさせない場合は注液口１２Ａから自然に液が出ることがない。
【００２９】
▲２▼注液口３２Ａと通気口３２Ｂはそれらに連通するノズル３３の注液開閉路４１Ａと通気開閉路４１Ｂを別系統にしているから、上述▲１▼で通気口３２Ｂから放出される内圧が注液開閉路４１Ａ（ノズル３３の中空通路３３Ａ）の側の残留内容液を飛ばす虞もない。
【００３０】
本発明は、キャップに回動又は直線動を自在にノズルを備え、このノズルを開閉手段として用いるものに限らず、キャップの表面に沿って摺動自在に設けた栓体を備え、この栓体を開閉手段として用いる容器にも適用できる。
【００３１】
また、本発明の注出容器は正立姿勢で液吐出口が上に形成されており、ディップチューブ付きのスクイズ容器に限らず、洗眼容器にも限らない。
【００３２】
【発明の効果】
以上のように本発明によれば、注出容器の開栓時に内容液が自然吐出するのを防ぐことができる。
【図面の簡単な説明】
【図１】図１は第１実施形態の注出容器の保管状態を示す断面図である。
【図２】図２は第１実施形態の注出容器の使用状態を示す断面図である。
【図３】図３はノズル格納状態を示す断面図である。
【図４】図４は通気口開き状態を示す断面図である。
【図５】図５は注液口開き状態を示す断面図である。
【図６】図６は第２実施形態の注出容器の保管状態を示す断面図である。
【図７】図７は第２実施形態の注出容器の使用状態を示す断面図である。
【図８】図８はノズル格納状態を示す断面図である。
【図９】図９は通気口開き状態を示す断面図である。
【図１０】図１０は注液口開き状態を示す断面図である。
【符号の説明】
１０、３０　注出容器
１１、３１　容器本体
１２、３２　キャップ
１２Ａ、３２Ａ　注液口
１２Ｂ、３２Ｂ　通気口
１３、３３　ノズル（開閉手段）
１３Ａ、３３Ａ　中空通路
２１Ａ、４１Ａ　注液開閉路
２１Ｂ、４１Ｂ　通気開閉路
【図１】
2004083018.tif 000003
【図２】
2004083018.tif 000004
【図３】
2004083018.tif 000005
【図４】
2004083018.tif 000006
【図５】
2004083018.tif 000007
【図６】
2004083018.tif 000008
【図７】
2004083018.tif 000009
【図８】
2004083018.tif 000010
【図９】
2004083018.tif 000011
【図１０】
2004083018.tif 000012